(57)【特許請求の範囲】
【請求項１】
折り畳まれた縫合糸保持部材と、把持用タブを有する少なくとも１本の針無し縫合糸との組み合わせを備え、
前記縫合糸保持部材は隣接するパネル同士が蝶番式に組み合わさった４つのパネルを有し、前記４つのパネルのうち２つのパネルは被覆用パネルからなり、他の２つのパネルは縫合糸支持用パネルからなり、さらに前記縫合糸は前記縫合糸支持用パネルに接して折り返して配置されており、
２つの前記被覆用パネルのうちの一つはスリットを規定する手段を有し、前記把持用タブは使用者がアクセスしやすいように前記被覆用パネルにある前記スリットを貫通して部分的に延びて配置されるように、縫合糸と共に前記スリットに挿入されており、
前記スリットは、前記把持用タブの一部に対応する形状及び寸法を有しており、
前記縫合糸がほどけないようにしておくために、前記被覆用パネルの各々が前記縫合糸の一部と前記縫合糸支持用パネルのうちの一つとを覆うように折り畳まれている縫合糸用パッケージ。
【請求項２】
前記縫合糸支持用パネルは、共通の蝶番で蝶番式に組み合わさっており、また前記被覆用パネルとともに折り畳まれ、さらに前記縫合糸は折り畳まれたパネルの中に含まれて互いに接触し、前記縫合糸支持用パネルは露出した状態にあり、さらに、少なくとも一つの前記パネルに封止用タブが設けられており、該封止用タブによって一緒に折り畳まれた前記縫合糸支持用パネルと開閉自在に閉じる請求項１に記載の縫合糸用パッケージ。
【請求項３】
前記封止用タブは、前記縫合糸支持用パネルのうちの一つに設けられており、また前記一つの縫合糸支持用パネルとは隣接しない被覆用パネルに、前記封止用タブが挿入される嵌め合わせ用のスリットを規定する手段をさらに有する請求項２に記載の縫合糸用パッケージ。
【請求項４】
前記パネルの各々は、対向する２つの端部を有し、それらの間で前記パネルが蝶番式に組み合わさって接合しており、前記封止タブは、前記縫合糸支持用パネルに固定用のスリットを有し、前記固定用のスリットは前記端部の少なくとも一つにある少なくとも一つの位置に配置されている請求項２に記載の縫合糸用パッケージ。
【請求項５】
前記固定用のスリットは、前記縫合糸支持用パネルの各々の前記対向する端部の各々にある２つの場所に配置されている請求項４に記載の縫合糸用パッケージ。
【請求項６】
前記縫合糸支持用パネルの一つは、前記縫合糸用パッケージに含まれる任意の縫合糸に重ねるようにして配置された開閉可能なパーフォレーションをさらに有し、前記パーフォレーションを引き裂くことによって開封することで縫合糸を容易に取り出すことができる請求項２に記載の縫合糸用パッケージ。
【請求項７】
前記縫合糸は８の字状に前記縫合糸支持用パネルと前記被覆用パネルとの間に配置されている請求項１に記載の縫合糸用パッケージ。
【請求項８】
前記把持用タブは、前記縫合糸と共に前記スリットに挿入され、前記把持用タブは前記スリットから部分的に延出して配置され、前記把持用タブは、前記スリットを有する前記被覆用パネルが折り畳まれた際に縫合糸支持用パネルの一方の内面に支えられる、請求項１から７のいずれかに記載の縫合糸用パッケージ。
【請求項９】
前記被覆用パネルはさらにそれぞれタブを有し、前記それぞれのタブはそれぞれの被覆用パネルの延長部分として設けられ、前記それぞれの被覆用パネルが折り畳まれた際に、前記それぞれのタブが互いに隣接するように十分な寸法を有している請求項１から８のいずれかに記載の縫合糸用パッケージ。
【発明の詳細な説明】
【０００１】
【発明の属する技術分野】
この発明は、外科用縫合糸が収納される縫合糸用パッケージ、特に針付き縫合糸または針無し縫合糸のいずれか一方を着脱自在に保持することが可能な縫合糸保持部材と該縫合糸保持部材を備えた縫合糸用パッケージに関する。
【０００２】
【従来の技術および発明が解決しようとする課題】
従来からパッケージとしての多種多様な紙製縫合糸保持部材の例が数多く知られており、そのような紙製の縫合糸保持部材は針付き縫合糸または針無し縫合糸のいずれか一方を着脱自在に保持するために折り畳まれている。一般に、紙製の縫合糸保持部材は２つの縫合糸支持用パネルを蝶番式に組み合わせてそれぞれの縫合糸支持用パネルが被覆用パネルとなるもので、例えば米国特許第４，２４９，６５６号に例示されている。この米国特許の例では、針付き縫合糸へのアクセスを可能とする開口可能な切取り線（パーフォレーション(perforation)）２０が形成されている。さらに別の縫合糸保持部材では、針無し縫合糸が保持されている。
【０００３】
縫合糸用パッケージについてはいくつかの例が知られており、例えば米国特許第５，７４６，３１１号に開示されているように、縫合糸用パッケージを閉じたままにしておく封止用タブとして機能するように、パネルの一端に嵌合用のスリット（１１２，１２２，１３２，及びスリット１４２）を有する。
【０００４】
そのような縫合糸は、多かれ少なかれ意図したように機能するが、針付き縫合糸と針無し縫合糸とでは異なる縫合糸保持部材が求められる。一つの紙からなる縫合糸保持部材あるいは縫合糸用パッケージでは、針付き縫合糸または針無し縫合糸のいずれか一方を容易にアクセス可能となるように収容するには不十分であった。
【０００５】
一方で、若干の困難さを伴うだけで縫合糸にアクセスができる針無し縫合糸の縫合糸保持部材が提供されている。
【０００６】
従って、従来から同一縫合糸用パッケージ内に何種類かある縫合糸のいずれかを据え付けるのに適した縫合糸保持部材、特に縫合糸に容易にアクセスすることが可能な縫合糸保持部材が求められている。
【０００７】
【課題を解決するための手段および発明の実施の形態】
本発明の目的は上記課題を解決し、上記の要求に応える縫合糸保持部材及び該縫合糸保持部材を備えた縫合糸用パッケージを提供することである。
【０００８】
本発明の一実施態様では、縫合糸用パッケージは、折り畳み可能な縫合糸保持部材と、少なくとも１本の針無し縫合糸との組み合わせからなる。縫合糸は、把持用タブを有する。また、縫合糸保持部材は隣接するパネル同士が縁端部で突き合わさるようにして配置された４つのパネルを有し、そのうちの２つのパネルは被覆用パネルを構成し、他の２つのパネルは縫合糸支持用パネルを構成する。縫合糸は縫合糸支持用パネルに接して所定のパターンで折り返して配置されており、被覆用パネルのうちの一つはスリットを限定する手段を有し、把持用タブは操作者のアクセスしやすいように被覆用パネルを貫通して部分的に配置されており、縫合糸がほどけないようにしておくために被覆用パネルの各々が縫合糸の一部と縫合糸支持用パネルのうちの一つとを覆うように折り畳まれている。
【０００９】
本発明の別の態様では、針付き縫合糸または針無し縫合糸のいずれかのための多目的用途の縫合糸保持部材を提供する。この縫合糸保持部材は、共通の縁端部に沿って蝶番式に組み合わさった第１の縫合糸支持用パネル及び第２の縫合糸支持用パネルと、共通の縁端部に沿って縫合糸支持用パネルの各々と蝶番式に組み合わさった被覆用パネルと、縫合糸を保持するために蝶番を中心にしてパネルを開閉自在にして一緒に閉じるための封止手段と、縫合糸支持用パネルのうちの一つと被覆用パネルの一つとが、パネルに挟まれた針付き縫合糸または針無し縫合糸のいずれかへのアクセスを限定する２つの分離手段を有する。
【００１０】
本発明の別の態様によれば、封止手段は、複数のパネルのうちの一つにある封止用タブと、該タブと嵌め合わせするために他のパネルに形成された嵌め合わせ用のスロットとを有する。封止用タブと嵌め合わせスロットとが嵌め合わさることで、縫合糸を内側にしてパネルを一緒に折り畳む。２つの分離アクセス限定手段は、複数のパネルの一つに針無し縫合糸上の把持用タブのためのスリットと、他のパネルに針付き用縫合糸のための開閉自在のパーフォレーションとを有する。
【００１１】
本発明の別の態様によれば、針付き縫合糸または針無し縫合糸のいずれかを保持する上記した折り畳み式の縫合糸保持部材を有する。
【００１２】
従って、同一の単一折り畳み式縫合糸保持部材を針付き縫合糸または針無し縫合糸のいずれかと一緒に使用することができ、また縫合糸へのアクセスが容易であることが本発明の有利な特徴である。
【００１３】
以下、本発明をいくつかの実施の形態例に基づいて説明する。本発明に基づく縫合糸用パッケージに適用される縫合糸保持部材は、所定の位置で蝶番式に組み合わさる所定の形状及び寸法からなる４つのパネルを有し、これらのパネルを所定の順番で折り畳むことによって、縫合糸用パッケージの一部として、所定の型の針付き縫合糸または針無し縫合糸を包む。パネルは、好ましいスリットとパーフォレーションとを有し、さらに閉配置において着脱自在にして縫合糸保持部材を固定する所定の型の嵌め合わせ構造を有する。さらに、本発明は、縫合糸保持部材のパネルの数、形状または寸法に関わりなく、パネル同士をつなげている蝶番（折り目をなす共通の縁端部）の位置に関わりなく、収められる縫合糸の種類や組み付けの順番に関わりなく、スリットやパーフォレーションの位置、形状または寸法に関わりなく、さらに一時的に縫合糸用パッケージを閉じておくために必要な嵌め合わせ構造に関わりなく、縫合糸保持部材及び縫合糸用パッケージを提供するのに有用である。
【００１４】
次に図１及び図２を参照しながら説明する。本発明に基づく縫合糸保持部材１０は、従来のように符号２０，２２及び符号２４で示す部分（共通の縁端部）で蝶番式に組み合わさって順に隣り合った４つのパネル１２，１４，１６及びパネル１８からなる。類似の構造は、米国特許第４，２４９，６５６号（前掲）の図１に示されている。パネル１４及びパネル１６は、梱包される縫合糸のための縫合糸支持用パネルであり、パネル１２及びパネル１８は、容易に理解できるように、各々に隣接する縫合糸支持用パネル１４及び縫合糸支持用パネル１６を覆うための被覆用パネルである。また、従来のように、パーフォレーション３０が縫合糸支持用パネル１６に形成されており、針付き縫合糸の針にアクセス可能となる。図示されている面３１は、パネルの内側の面である。
【００１５】
各々のパネルは、対向する端部３２，３４を有する。パネル１４及びパネル１６のそのような端部では、図に示すように、少なくとも一つ、好ましくは２つのスリット４０，４２またはスリット４４，４６が形成されている。スリット４０は一般に、好ましくは直線状で蝶番線（折り目）２２，２４と同列に揃えられ、好ましくはスリット４４と約４５°の角度をなす。さらにスリット４２及びスリット４６も好ましくは互いに４５°の角度をなす。同様の嵌め合わせ目的のために、例えば米国特許第５，７４６，３１１号（前掲）には、それぞれのパネル端部に一つだけとはいえ、類似のスリットが示されている。
【００１６】
また、従来のように、ポストに縫合糸を巻き付けるために縫合糸用パッケージの内側にアクセスできるように、図２に示すような開口部５０がパネル１４に形成されている。
【００１７】
折り目２２及び折り目２４のところで折り畳んだ後、縫合糸保持部材１０を開閉自在にして閉じるために、パネルと一体化された部分として封止用タブ５６が、好ましくは縫合糸支持用パネル１４に設けられ、また該封止用タブ５６が嵌合するためのスロット５８が、封止用タブ５６と揃うように他のパネル、好ましくは被覆用パネル１８に形成されている。
【００１８】
本発明の一態様によれば、針無し縫合糸の把持用タブの一部に対応する形状及び寸法を持つスリット６０がパネル１８上にある程度延びて形成されている。
【００１９】
折り畳みの過程で被覆用パネル１２及び被覆用パネル１８を閉じた状態に保つのを助けるために、タブ６２，６４が各々の被覆用パネルの延長部分として互いに一直線上に置かれるようにして、かつ折り畳みの際に互いに隣接するように十分な寸法で形成されている。
【００２０】
縫合糸用パッケージの組み立て手順の好ましい一例を図３乃至図６に示す。図３に示すように、巻き取りポスト７０，７２は開口部５０を貫通して配置されており、もし縫合糸保持部材が針付き縫合糸のためのものであるならば、図示されたように、針８０は縫合糸支持用パネル１６のパーフォレーション３０をまたがるようにして置かれる（針及び縫合糸は従来のものであることからそれ以上の説明を必要としない）。
【００２１】
次に、図４を参照しながら説明する。従来のように、針８０が付いた縫合糸８２は所望のパターン、好ましくは図８に示すような状態でポスト７０，７２に巻かれている（楕円形のパターンはもう一つの有用な例である）。被覆用パネル１８は、針８０を覆うようにして折り目に沿って矢印８３の方向に折り畳まれる。
【００２２】
次に、図５に示すように、封止用タブ５６は突き出たままの状態で被覆用パネル１２を矢印８５の方向に折り目２０に沿って折り畳む。パネル１２は縫合糸８２の巻き取りパターンを覆うことで縫合糸がほぐれるのを防ぐ。
【００２３】
最後に、図６に示すように、被覆用パネル１２及び被覆用パネル１８が互いに隣接するように、矢印８７の方向に折り目２２に沿って２つの縫合糸支持用パネル１４及びパネル１６が折り畳まれる。図５に示すように、タブ６２，６４が互いに当接することで、この段階で、被覆用パネルと縫合糸支持用パネルとの間に挟まれた縫合糸及び針と被覆用パネル１２及び被覆用パネル１８との接触が保たれる。縫合糸用パッケージを開閉可能な形で閉じるために、タブ５６を矢印８９に沿ってスロット５８に挿入し、対となったスリット４０，４４及びスリット４２，４６を一緒にねじることで、従来のように、パネル１４及びパネル１６の端部３２とパネル１４及びパネル１６の端部３４とを一緒に開閉自在に固定する。それによって縫合糸用パッケージが完成する。図１３から明らかなように、パネル１６は単にパーフォレーション３０を引き裂くことで容易に針８０にアクセスすることができるようになっている。
【００２４】
必要に応じて、任意に、図２及び図３に示す想像線９０に沿ってパーフォレーション３０に隣接して、従来の構成からなる針を置いておく領域（図示せず）をパネル１６に設け、さらにその場に針８０を保持することができる。
【００２５】
本発明の別の態様では、図７乃至図１２に示すように、図１乃至図６に記述したものと非常に類似した縫合糸保持部材１０が針付き縫合糸の代わりに針無し縫合糸１００を包装するのに有用である。縫合糸保持部材１０は、それ自体すでに説明したものと同一であることから、縫合糸保持部材に関しては同様の符号を使用する。この例における縫合糸は、図７に示すように、縫合糸１０２と把持用タブ１０４とからなる。
【００２６】
従って、針付き縫合糸用の縫合糸保持部剤と比較して、針無し縫合糸用の別の縫合糸保持部材を提供することはもはや必要ではない。
【００２７】
組み立てるために、図８に示すように、パネル１６の内面３１に置かれた縫合糸とともに把持用タブ１０４を部分的にスリット６０に挿入する。巻き取りポスト７０，７２はすでに説明したように配置されている。
【００２８】
次に、図９に示すように、被覆用パネル１８を矢印８３で示す方向に折り目２４に沿って折り畳み、縫合糸１０２を図１０に示すような好ましいパターンで巻き付けポストに巻き付ける。図１０では、４本の巻き付けポストに対して８の字形となるようして縫合糸１０２が巻き付けられている。
【００２９】
組み立て手順の残りの工程は、針付き縫合糸と同じである。図１１に示すように、被覆用パネル１２を矢印８５で示す方向に折り目２０に沿って折り畳み、図１２に示すように２つの縫合糸支持用パネルを矢印８７に示す方向に折り目２２に沿って一緒に折り畳む。矢印８９で示すようにタブ５６をスロット５８に挿入し、端部３２，３４に形成された噛み合わせスリットをその場でねじる。
【００３０】
図１１において容易に理解されるように、針無し縫合糸へアクセスするためには、封止用タブ５６をスロット５８から引き出すか、あるいは離し、折り目２２を軸にして縫合糸支持用パネルを回動させるだけでよく、それによって把持用タブ１０４の露出した部分を掴んで引張ることだけが可能となる。
【００３１】
ここに開示した発明は、ここで特に開示していない任意の構成要素がなくとも実施可能であろう。
【００３２】
この発明を図面を参照しながら実施形態例について説明したが、この発明の精神と範囲においてあらゆる変更及び修正が可能であることは当業者によって了承されよう。
【００３３】
好ましい実施態様は以下の通りである。
（Ａ）  折り畳まれた縫合糸保持部材と、把持用タブを有する少なくとも１本の針無し縫合糸との組み合わせからなり、
前記縫合糸保持部材は隣接するパネル同士が蝶番式に組み合わさった４つのパネルを有し、前記４つのパネルのうち２つのパネルは被覆用パネルからなり、他の２つのパネルは縫合糸支持用パネルからなり、さらに前記縫合糸は前記縫合糸支持用パネルに接して折り返して配置されており、
２つの前記被覆用パネルのうちの一つはスリットを限定する手段を有し、前記把持用タブはアクセスしやすいように前記被覆用パネルを貫通して部分的に延びて配置されており、
前記縫合糸がほどけないようにしておくために、前記被覆用パネルの各々が前記縫合糸の一部と前記縫合糸支持用パネルのうちの一つとを覆うように折り畳まれている縫合糸用パッケージ。
（１）  前記縫合糸支持用パネルは、共通の蝶番（共通の縁端部）で蝶番式に組み合わさっており、また前記被覆用パネルとともに折り畳まれ、さらに前記縫合糸は折り畳まれたパネルの中に含まれて互いに接触し、前記縫合糸支持用パネルは露出した状態にあり、さらに、少なくとも一つの前記パネルに封止用タブが設けられており、該封止用タブによって一緒に折り畳まれた前記縫合糸支持用パネルと開閉自在に閉じる実施態様（Ａ）に記載の縫合糸用パッケージ。
（２）  前記封止用タブは、前記縫合糸支持用パネルのうちの一つに設けられており、また前記一つの縫合糸支持用パネルとは隣接しない被覆用パネルと、前記封止用タブが挿入される嵌め合わせ用のスリットを限定する手段とをさらに有する実施態様（１）に記載の縫合糸用パッケージ。
（３）  前記パネルの各々は、対向する２つの端部を有し、それらの間で前記パネルが蝶番式に組み合わさって接合しており、前記封止タブは、前記縫合糸支持用パネルに固定用のスリットを有し、前記固定用のスリットは前記端部の少なくとも一つにある少なくとも一つの位置に配置されている実施態様（１）に記載の縫合糸用パッケージ。
（４）  前記固定用のスリットは、前記縫合糸支持用パネルの各々の前記対向する端部の各々にある２つの場所に配置されている実施態様（３）に記載の縫合糸用パッケージ。
（５）  前記縫合糸支持用パネルの一つは、前記縫合糸用パッケージに含まれる任意の縫合糸に重ねるようにして配置された開閉可能なパーフォレーションをさらに有し、前記パーフォレーションを引き裂くことによって開封することで縫合糸を容易に取り出すことができる実施態様（１）に記載の縫合糸用パッケージ。
【００３４】
（６）  前記縫合糸は８の字状に前記縫合糸支持用パネルと前記被覆用パネルとの間に配置されている実施態様（Ａ）に記載の縫合糸用パッケージ。
（Ｂ）  針付き縫合糸または針無し縫合糸のいずれかのための多目的用途の折り畳み式縫合糸保持部材であって、該縫合糸保持部材は、
共通の縁端部に沿って蝶番式に組み合わさった第１の縫合糸支持用パネル及び第２の縫合糸支持用パネルと、
共通の縁端部に沿って前記縫合糸支持用パネルの各々と蝶番式に組み合わさった被覆用パネルと、
縫合糸を保持するために前記共通の縁端部を中心にして前記第１の縫合糸支持用パネル、前記第２の縫合糸支持用パネル、及び前記被覆用パネルを開閉自在にして一緒に閉じるための封止手段とを備え、さらに、
前記第１の縫合糸支持用パネル及び前記第２の縫合糸支持用パネルのうちの一つと被覆用パネルの一つとが、前記第１の縫合糸支持用パネル、前記第２の縫合糸支持用パネル、及び前記被覆用パネルによって梱包された針付き縫合糸または針無し縫合糸のいずれかへのアクセスを限定する２つの分離手段を有する折り畳み式縫合糸保持部材。
（Ｃ）  針付き縫合糸または針無し縫合糸のいずれかのための多目的用途の折り畳み式縫合糸保持部材であって、該縫合糸保持部材は、
共通の縁端部に沿って蝶番式に組み合わさった第１の縫合糸支持用パネル及び第２の縫合糸支持用パネルと、
共通の縁端部に沿って縫合糸支持用パネルの各々と蝶番式に組み合わさった被覆用パネルと、
前記第１の縫合糸支持用パネル、前記第２の縫合糸支持用パネル、及び前記被覆用パネルのうちの一つのパネルに設けられた封止用タブと、該封止用タブと嵌め合わせするために他のパネルに形成された嵌め合わせ用のスロットとを有し、前記封止用タブと前記スロットとが嵌め合わさることで、縫合糸を内側にして前記第１の縫合糸支持用パネル、前記第２の縫合糸支持用パネル、及び前記被覆用パネルを一緒に折り畳むことが可能となり、さらに、
前記第１の縫合糸支持用パネル及び前記第２の縫合糸支持用パネルのいずれか一つと前記被覆用パネルの一つの内の一方のパネルに針無し縫合糸上の把持用タブのためのスリットが形成され、他方のパネルに針付き縫合糸のための開閉自在のパーフォレーションが形成されている折り畳み式縫合糸保持部材。
（７）  前記封止用タブは前記縫合糸支持用パネルの一つの一体化している部分であり、前記嵌め合わせのためのスロットは前記被覆用パネルの一つに形成されている実施態様（Ｃ）に記載の縫合糸保持部材。
（Ｄ）  実施態様（Ｃ）に記載の折り畳み式縫合糸保持部材と、前記パーフォレーションの下にある針付き縫合糸または把持用タブを有する針無し縫合糸のいずれか一方との組み合わせからなり、前記把持用タブは把持のために露出するようにして前記スリットから部分的に延びている縫合糸用パッケージ。
（Ｅ）  実施態様（Ｂ）に記載の折り畳み式縫合糸保持部材と、針付き縫合糸または把持用タブを有する針無し縫合糸のいずれか一方との組み合わせからなる縫合糸用パッケージ。
【００３５】
【発明の効果】
以上述べたように、この発明によれば、外科用縫合糸が収納される縫合糸用パッケージ、特に針付き縫合糸または針無し縫合糸を着脱自在に保持することが可能であり、かつ縫合糸に容易にアクセスする可能な縫合糸保持部材と該縫合糸保持部材を備えた縫合糸用パッケージを提供できる効果がある。
【図面の簡単な説明】
【図１】本発明に基づく縫合糸保持部材の斜視図であり、縫合糸を取り付けずに開いた状態を示している図である。
【図２】図１に示す縫合糸保持部材の平面図である。
【図３】図２に示す縫合糸保持部材と、該縫合糸保持用部材の縫合糸支持用パネル上に置かれた針付き縫合糸とを用いた縫合糸用パッケージの組み立てを説明するための平面図である。
【図４】図３に示す縫合糸保持部材において、針付き縫合糸が他の縫合糸支持用パネルに包まれ、かつ被覆用パネルが所定の位置に折り畳まれた状態を示す平面図である。
【図５】図４に示す縫合糸保持部材において、さらに他の被覆用パネルが所定の位置に折り畳まれた状態を示す平面図である。
【図６】図５に示す縫合糸保持部材において、さらに２つの縫合糸支持用パネルが折り畳まれて嵌り合って閉じた状態となった縫合糸用パッケージを示す平面図である。
【図７】針無し縫合糸を用いる点以外は図２と同様の構成で組み立てはじめる状態にある縫合糸保持部材の平面図である。
【図８】図７の針無し縫合糸を用いる点以外は図３と同様の構成による縫合糸用パッケージの組み立てを説明するための平面図である。
【図９】針無し縫合糸を包んで梱包する点以外は図４と同様の構成からなる平面図である。
【図１０】針無し縫合糸を包んで梱包する点以外は図４と同様の構成からなる平面図である。
【図１１】針無し縫合糸を包んで梱包する点以外は図５と同様の構成からなるもので、さらに他の被覆用パネルが所定の位置に折り畳まれた状態を示す平面図である。
【図１２】針無し縫合糸を包んで梱包する点以外は図６と同様の構成からなるもので、さらに２つの縫合糸支持用パネルが折り畳まれて嵌り合って閉じた状態となった縫合糸用パッケージを示す平面図である。
【図１３】図６と同様の構成からなる縫合糸用パッケージを裏面から見たもので、針付き縫合糸の針がパーフォレーションをまたがるようにして配置されている状態を示す平面図である。
【符号の説明】
１０  縫合糸保持部材
１２，１８  被覆用パネル
１４，１６  縫合糸支持用パネル
２０，２２，２４  共通の縁端部（蝶番線、折り目）
３０  パーフォレーション
３１  面
３２，３４  端部
４０，４２，４４，４６，６０  スリット
５６  封止用タブ
５８  スロット
６２，６４  タブ
７０，７２  巻き取りポスト
８０  針
１０２  縫合糸
１０４  把持用タブ
【図１】
0004169893.tif 000002
【図２】
0004169893.tif 000003
【図３】
0004169893.tif 000004
【図４】
0004169893.tif 000005
【図５】
0004169893.tif 000006
【図６】
0004169893.tif 000007
【図７】
0004169893.tif 000008
【図８】
0004169893.tif 000009
【図９】
0004169893.tif 000010
【図１０】
0004169893.tif 000011
【図１１】
0004169893.tif 000012
【図１２】
0004169893.tif 000013
【図１３】
0004169893.tif 000014